(57)【要約】【課題】空洞部内に滞留した水を効果的に排出するとともに、コンクリート打設時における該コンクリートの侵入を防止し、且つ、所望のサイズに切断し易いコンクリートスラブ用埋込材を提供する。【解決手段】外周壁２内の幅方向及び長さ方向に、それぞれの幅仕切壁３及び長さ仕切壁４を設けることにより、碁盤目状に空洞部５が形成される。そして、幅仕切壁３及び長さ仕切壁４のそれぞれには、外周壁２を貫通するように幅スリット６及び長さスリット７が設けられるとともに、これら複数本の幅スリット６と長さスリット７は、埋込材１の中央で交差し互いに連通している。また、空洞部５は、埋込材１の幅方向に複数個形成され、外側の空洞部５Ａと内側の空洞部５Ｂとは凹溝８によって連通されるとともに、内側の空洞部５Ｂは長さスリット７と凹溝８Ａによって連通されている。さらに、空洞部５は、幅仕切壁３を境にして長さ方向にも直接的には連通されない形で複数個形成される。【選択図】　　　図１
2004019102.tif 000002
【特許請求の範囲】
【請求項１】
発泡合成樹脂成形体からなり、外周壁内に幅方向及び長さ方向の仕切壁により複数個の空洞部が設けられ、前記幅方向及び長さ方向の仕切壁にはそれぞれ外周壁を貫通するようにスリットが設けられるとともに、前記幅方向の仕切壁に設けたスリット及び／又は長さ方向の仕切壁に設けたスリットと前記空洞部とが凹溝により連通していることを特徴とするコンクリートスラブ用埋込材。
【請求項２】
発泡合成樹脂成形体からなり、外周壁内に幅方向及び長さ方向の仕切壁により複数個の空洞部が設けられ、前記幅方向及び長さ方向の仕切壁にはそれぞれ外周壁を貫通するようにスリットが設けられ、該幅方向、長さ方向の少なくとも一方のスリットは２条のスリットからなり、前記空洞部に近い方のスリットと前記空洞部とが凹溝により連通していることを特徴とするコンクリートスラブ用埋込材。
【請求項３】
２条のスリットの間に切断用のマーキングを設けた請求項２記載のコンクリートスラブ用埋込材。
【請求項４】
切断用のマーキングがスリットである請求項３記載のコンクリートスラブ用埋込材。
【請求項５】
スリットが仕切壁の厚さの１／３〜１／２の深さである請求項１〜４のいずれか１項に記載のコンクリートスラブ用埋込材。
【請求項６】
外周壁の反対側に段状の切欠部を設けた請求項１〜５のいずれか１項に記載のコンクリートスラブ用埋込材。
【請求項７】
段状の切欠部をスリットの反対側に設けた請求項６記載のコンクリートスラブ用埋込材。
【請求項８】
空洞部が開口部に向けて広がるテーパー状である請求項１〜７のいずれか１項に記載のコンクリートスラブ用埋込材。
【請求項９】
発泡合成樹脂成形体がポリスチレン系樹脂からなる請求項１〜８のいずれか１項に記載のコンクリートスラブ用埋込材。
【発明の詳細な説明】
【０００１】
【発明の属する技術分野】
本発明は、発泡合成樹脂成形体からなるコンクリートスラブ用埋込材に関し、更に詳しくは、コンクリートスラブ用埋込材をコンクリート内部に埋設する際、該埋込材に形成された空洞部内に滞留する蒸気や水分を有効的に排出するとともに、施工現場にて行われる蒸気養生や散水作業時に空洞部内への水分の侵入を防止し、且つコンクリート打設時に、コンクリートの侵入を防止し、更に、所望のサイズに切断し易いコンクリートスラブ用埋込材に関する。
【０００２】
【従来の技術】
従来、建築物の床材や天井材を構成するコンクリートスラブを施工する場合、軽量化、遮音効果及び断熱効果を図るために、中空化した埋込材をコンクリート内部に埋設する工法が採用されている。
【０００３】
この種の技術としては、例えば特許第２５６２２４７号公報において、中空コンクリートスラブ用基板およびその製造方法が記載されており、その要旨は、合成樹脂製の発泡成形品からなり下面を開口した中空部を持つ箱状の埋込材をコンクリート基板に連結固定するとともに、前記中空部を外部に対して連通するために前記埋込材の側面のコンクリート基板と当接する位置近傍に開孔を形成したというものである。そして、その開孔の形状を先細り状や、迷路構造状に形成することによって中空部の内部空間に溜まった水分を排出したり、また、逆に外部からの水分を侵入しにくくしている。
【０００４】
【発明が解決しようとする課題】
しかしながら、上記従来の構成では、開孔が外周壁に設けられているため、開孔により形成される排水孔は外周壁の厚みにより規制され、いきおい短いものとならざるを得ず、そのため開孔の形状を先細り状にしても、あるいは迷路構造状に形成したとしても直線状と殆ど変わらないため、排水性は良いものの、現場での蒸気養生や散水作業の際に、更にはコンクリート打設の際に、該排水孔から蒸気や水、又はコンクリートが侵入する虞れがあるという問題があった。
また、現場においては、施工場所に応じて所望のサイズに切断する場合が生じるが、切断が容易でないという問題を有していた。
【０００５】
本発明は、上記従来の問題を解消し、埋込材の空洞部内に滞留した蒸気や水を有効的に排出するとともに、現場での蒸気養生や散水作業時等において空洞部内への蒸気や水の侵入を防止することは勿論のこと、コンクリート打設時における該コンクリートの侵入を防止し、且つ、切断の容易なコンクリートスラブ用埋込材を提供することを目的としたものである。
【０００６】
【課題を解決するための手段】
上記目的を達成するために、本発明の第１は、発泡合成樹脂成形体からなり、外周壁内に幅方向及び長さ方向の仕切壁により碁盤目状に空洞部が設けられ、前記幅方向及び長さ方向の仕切壁にはそれぞれ外周壁を貫通するようにスリットが設けられるとともに、前記幅方向の仕切壁に設けたスリット及び／又は長さ方向の仕切壁に設けたスリットと、前記空洞部とが凹溝により連通していることを特徴とするコンクリートスラブ用埋込材を内容とする（請求項１）。
【０００７】
本発明の第２は、発泡合成樹脂成形体からなり、外周壁内に幅方向及び長さ方向の仕切壁により複数個の空洞部が設けられ、前記幅方向及び長さ方向の仕切壁にはそれぞれ外周壁を貫通するようにスリットが設けられ、該幅方向、長さ方向の少なくとも一方のスリットは２条のスリットからなり、前記空洞部に近い方のスリットと前記空洞部とが凹溝により連通していることを特徴とするコンクリートスラブ用埋込材を内容とする（請求項２）。
【０００８】
好ましい態様としての請求項３は、２条のスリットの間に切断用のマーキングを設けた請求項２記載のコンクリートスラブ用埋込材である。
【０００９】
好ましい態様としての請求項４は、切断用のマーキングがスリットである請求項３記載のコンクリートスラブ用埋込材である。
【００１０】
好ましい態様としての請求項５は、スリットが仕切壁の厚さの１／３〜１／２の深さである請求項１〜４のいずれか１項に記載のコンクリートスラブ用埋込材である。
【００１１】
好ましい態様としての請求項６は、外周壁の反対側に段状の切欠部を設けた請求項１〜５のいずれか１項に記載のコンクリートスラブ用埋込材である。
【００１２】
好ましい態様としての請求項７は、段状の切欠部をスリットの反対側に設けた請求項６記載のコンクリートスラブ用埋込材である。
【００１３】
好ましい態様としての請求項８は、空洞部が開口部に向けて広がるテーパー状である請求項１〜７のいずれか１項に記載のコンクリートスラブ用埋込材である。
【００１４】
好ましい態様としての請求項９は、発泡合成樹脂成形体がポリスチレン系樹脂からなる請求項１〜８のいずれか１項に記載のコンクリートスラブ用埋込材である。
【００１５】
【作用】
本発明のコンクリート埋込材は、外周壁と、空洞部を形成する幅、長さ方向の仕切壁とに設けたスリットを利用し、空洞部に連通する凹溝、スリットからなる排水路を略直角に曲折させて配設した結果、流路抵抗が増大し粘性の低い水は容易に排除されるが、蒸気養生時の蒸気や散水作業時の水、更には粘性の高いコンクリートは侵入しにくくなり、これらの侵入に起因するトラブルが防止される。
【００１６】
また、スリットを切断に利用でき、例えば、スリットに鋸を当てて容易に切断できるので、現場において寸法の異なった埋込材を簡単に調達できるとともに、予め多種多様の埋込材を取り揃えておく必要もなくなるので、製造コストが低減されるばかりでなく、保管や在庫管理が容易になる。
【００１７】
さらにまた、スリットの反対側に、段状の切欠部を設けることにより、このスリットが仮止め用釘等の係止具の誘導路（釘道）となり、作業性が一段と向上する。
【００１８】
【発明の実施の形態】
本発明のコンクリートスラブ用埋込材は発泡合成樹脂成形体からなる。本発明に用いられる発泡合成樹脂としては、例えば発泡ポリスチレン樹脂、発泡塩化ビニル樹脂、発泡ポリエチレン、発泡ポリプロピレン等の発泡ポリオレフィン樹脂、発泡ポリウレタン樹脂等が挙げられるが、適度な剛性を有し、断熱性、耐水性、緩衝性に優れている点で発泡ポリスチレン樹脂が好ましい。これらの使用済み樹脂をリサイクルした樹脂も勿論好適に使用される。
【００１９】
本発明のコンクリートスラブ用埋込材のサイズは特に制限されないが、従来、幅４３０ｍｍ、２１５ｍｍ、長さ１２００ｍｍ、厚さ８０〜１９０ｍｍのものが一般に用いられている。しかし、これらに制限されるものではない。空洞部、空洞部を形成する仕切壁、スリットのサイズも特に制限されないが、通常、空洞部のサイズは、例えば方形又は円形の場合は一辺又は直径が５０〜１５０ｍｍ、仕切壁の幅は１５〜１００ｍｍ、スリットの幅は５〜３０ｍｍ程度から選べばよい。スリットの深さは、仕切壁の厚さの１／３〜１／２程度が好ましい。１／３より浅くなるとスリットを利用して切断する場合に切断に手間が掛かる傾向があり、また１／２より深くなると、強度が不十分となる場合がある。
【００２０】
空洞部は開口部に向けて広がるテーパー状とすることが好ましく、このような形状とすることにより成形時の脱型が容易となる。
外周壁の反対側に、釘等の係止具で仮止めするために段状の切欠部を設けるのが好ましく、特にスリットの反対側に設けることにより、スリットを釘等の誘導路（釘道）として利用でき、仮止めの作業性が格段に高められる。
【００２１】
【実施例】
以下、本発明の実施例を図面に基ずいて説明するが、本発明はかかる実施例のみに限定されないことはいうまでもない。
【００２２】
実施例１
本実施例のコンクリートスラブ用埋込材（以下、埋込材と略称する）１は、図１〜図７に示すように、発泡合成樹脂成形体からなり、外周壁２内の幅方向及び長さ方向に、それぞれの幅仕切壁３及び長さ仕切壁４を設けることにより、複数個の空洞部５が碁盤目状に形成されている。そして、幅仕切壁３及び長さ仕切壁４のそれぞれには、外周壁２を貫通するように幅スリット６及び長さスリット７が設けられるとともに、これら複数本の幅スリット６と長さスリット７は、埋込材１の中央で交差し互いに連通している。
【００２３】
また、空洞部５は、埋込材１の幅方向に複数個（本例では４個）形成され、外側の空洞部５Ａと内側の空洞部５Ｂとは凹溝８によって連通するとともに、内側の空洞部５Ｂは凹溝８によって長さスリット７と連通している。また、空洞部５は、幅仕切壁３を境にして長さ方向にも、直接的には連通しない形で複数個（本例では６列）形成されている。
【００２４】
上記のように形成したことにより、幅仕切壁３に設けた幅スリット６及び長さ仕切壁４に設けた長さスリット７と、全ての空洞部５とは凹溝８、８Ａを介して連通している。
【００２５】
また、図１〜図３及び図５〜図７に示すように、埋込材１の外周壁２で、幅スリット６、長さスリット７の反対側には段状の切欠部９が適宜設けられている。これは、半生状態のコンクリート層の上に埋込材１を載せた際、埋込材１が動かないように仮止めする目的で、釘のような係止具（図示せず）を挿入するために設けられている。
【００２６】
また、幅スリット６及び長さスリット７の深さｈは、好ましくは、埋込材１の厚さＨの１／３〜１／２の深さに形成される。したがって切欠部９の深さｎもこれに連動して埋込材１の厚さＨの２／３〜１／２の深さが好適である。なお、凹溝８の形状は、図では矩形状のものを示しているが、Ｖ形状、半円形状、その他の形状であっても良い。
【００２７】
コンクリートスラブ用埋込材はコンクリート床材や天井材を軽量化するとともに、これに遮音性及び断熱性を付与するものであるが、上記のように構成したことにより次のような特徴を有する。
【００２８】
本発明のコンクリートスラブ用埋込材は、仕切壁と外周壁とのスリットを利用し略直角に排水路を曲折させて排水させることにより、流路抵抗が増大するので、粘性の低い蒸気・水滴などは容易に排水できる一方、粘性の高いコンクリートはこの排水路からは侵入しにくいという効果が得られる。また、蒸気養生時の蒸気やコンクリート打設時の接着性を良くしたり乾燥収縮によるクラックを防止するための散水作業時の水の侵入も効果的に抑制される。なお、流路抵抗は図６に示したようにスリットの幅寸法ｉを変更することにより調節できる。また、図７から明かのように、幅、長さスリット６、７を係止具の誘導路（釘道）として利用できるので、釘などによる埋込材の仮止めの作業性が高い。
【００２９】
また、埋込材は図１の状態の大きさのまま利用できることは勿論であるが、更に、幅スリット６を切断用に利用し、施工現場においても容易且つ精度良く切断して所望のサイズに素早く対応することもできる。
【００３０】
本実施例１においては、長さ方向Ｙ１で示す長さスリット７に沿っての切断は、排水路が曲折しなくなるのでこの方向の切断はさけ、幅方向のＸ１〜Ｘ５で示す位置の幅スリット６に沿って切断するのが望ましい。このように切断することによって、種々の大きさの埋込材が得られ、そして、この際得られる最小単位の埋込材の大きさとしては、図１に示すａｂｃｄのサイズになる。そして、このような切断を考慮する場合には、切欠部９の設ける位置も図１に示した以外の箇所に設けておけばよい。
【００３１】
なお、空洞部５は、図８に示すように、開口部に向けて広がるテーパー状とすることにより、金型からの脱型が容易となる。
【００３２】
実施例２
実施例２の埋込材は、図９に示すように、埋込材の幅方向、長さ方向のどちらの方向にも切断しても、排水路が曲折され、空洞部への水やコンクリートの侵入を防止することができる形態である。なお、実施例１と同一の構成要素については割愛し、異なる要素を中心にして説明する。
【００３３】
幅方向に形成され凹溝８によって連通した複数個（本例の場合は２個）づつの空洞部５が幅の中心（Ｙ１で示す）をはさんで計４個設けられている点は実施例１と同様である。そして、これらの空洞部５により狭持された形で埋込材１の長さ方向の中央の長さ仕切壁４には、それぞれ外周壁２を貫通するように２条の長さスリット７Ａ、７Ｂが設けられ、中心側の上下空洞部５Ｂは長さスリット７Ａ、７Ｂと、凹溝８Ａにより連通している。
更に、２条のスリット７Ａ、７Ｂの間には切断用マーキングとしてのスリット１０が設けられている。このマーキングスリット１０の深さは、前述したスリットの深さと同一でもそれより浅くしても良く、また、単に線を引いたようなマーキングであってもよい。
【００３４】
以上の構成によって、切断方向は、長さ方向はＹ１で示す切断用マーキングスリット１０に沿って、また幅方向はＸ１〜Ｘ５で示す位置のどの幅スリット６に沿って切断しても良い。そして、この際に得られる最小単位の埋込材の大きさとしては、図９に示すｅｆｇｊのサイズになる。なお、実施例２では埋込材の最小単位が実施例１よりも小さくなるので切断した場合の埋込材の種類はさらに多くなり、所望のサイズに一層対応し易くなる。
【００３５】
実施例３
実施例１、２では、中心側の空洞部５（５Ｂ）が長さスリット７に直接連通する形態について説明した。本実施例３では、実施例１の変形の形態として、この空洞部５が幅スリット６に連通して且つ、空洞部５への水やコンクリートの侵入を防止するとともに、埋込材の幅方向、長さ方向のどちらの方向にも切断できる形態について説明する。
【００３６】
図１０に示したように、幅仕切壁３及び中央の長さ仕切壁４のそれぞれには、外周壁２を貫通するように幅スリット６及び長さスリット７が設けられるとともに、これら幅スリット６と長さスリット７は、埋込材１の中央で交差し互いに連通している。また、幅スリット６の両側に設けた空洞部５は、この幅スリット６と凹溝８を介して連通している。
【００３７】
この構成によれば、長さ方向はＹ１で示す長さスリット７に沿って切断して良く、また幅方向はＸ２、Ｘ４で示す２箇所の位置の幅スリット６に沿って切断しても良い。そして、この際に得られる最小単位の埋込材の大きさとしては、図１０の左上に示すｋｌｍｐのサイズになる。このように埋込材に設けられるスリットの位置を変え、スリットと空洞部との連通の仕方を変えることによって最小単位の埋込材の大きさも、即ち、切断の位置も自由に変更することが可能となる（実施例１参照）。
【００３８】
なお、空洞部からの排水路を略直角に曲折させて水やコンクリートが侵入しにくくすることを目的とし、幅方向、長さ方向のどちらの方向にも切断せず、定形サイズのまま利用する場合の形態としては、図１、９、１０に示したもの以外に、幅スリット、長さスリットのそれぞれに対して各空洞部から略直角になるように凹溝を設けて隣合う空洞部が直接的に連通した形態を適宜採用することができる。
【００３９】
【発明の効果】
以上の説明から明かのように、本発明のコンクリートスラブ用埋込材によれば下記の如き多くの特徴及び利点を有する。
【００４０】
本発明のコンクリート埋込材は、外周壁と、碁盤目状に空洞部を形成する幅、長さ方向の仕切壁とに設けたスリットを利用し、空洞部に連通する凹溝、スリットからなる排水路を略直角に曲折させて配設した結果、流路抵抗が増大し、粘性の低い水は容易に排除されるが粘性の高いコンクリートは侵入しにくくなる。また蒸気養生時の蒸気や散水作業時の水の侵入も効果的に抑制される。従って、水やコンクリート侵入に起因するトラブルが防止される。
【００４１】
また、スリットを切断に利用できるので、現場において寸法の異なった埋込材を簡単に調達できるとともに、予め多種多様の埋込材を取り揃えておく必要もなくなるので、製造コストが低減されるばかりでなく、保管や在庫管理が容易になる。
【００４２】
さらにまた、スリットの反対側に、段状の切欠部を設けたことにより、この切欠部が仮止め用釘等係止具の誘導路（釘道）となり作業性が一段と向上する。
【図面の簡単な説明】
【図１】本発明の実施例１におけるコンクリートスラブ用埋込材の平面図である。
【図２】同埋込材の正面図である。
【図３】同埋込材の側面図である。
【図４】同埋込材のＡ−Ａ線断面図である。
【図５】同埋込材のＢ−Ｂ線断面図である。
【図６】同埋込材の空洞部とスリットとの関係を示す斜視図である。
【図７】同埋込材の切欠部とスリットとの関係を示す斜視図である。
【図８】空洞部の他の形状を示す断面図である。
【図９】本発明の実施例２における、長さ方向に２条のスリットを設けたコンクリートスラブ用埋込材の平面図である。
【図１０】本発明の実施例３におけるコンクリートスラブ用埋込材の平面図である。
【符号の説明】
１　埋込材
２　外周壁
３　幅仕切壁
４　長さ仕切壁
５、５Ａ、５Ｂ　空洞部
６　幅スリット
７、７Ａ、７Ｂ　長さスリット
８、８Ａ　凹溝
９　切欠部
１０　切断用マーキングスリット
【図１】
2004019102.tif 000003
【図２】
2004019102.tif 000004
【図３】
2004019102.tif 000005
【図４】
2004019102.tif 000006
【図５】
2004019102.tif 000007
【図６】
2004019102.tif 000008
【図７】
2004019102.tif 000009
【図８】
2004019102.tif 000010
【図９】
2004019102.tif 000011
【図１０】
2004019102.tif 000012